(57)【要約】【課題】複数の画素を備えた表示装置において、目視によって特定した調整対象の画素の位置を容易に検出する。【解決手段】発光素子を有する複数の画素を有する表示部と、発光させる前記画素を選択する画素選択部と、前記画素選択部が選択する前記画素が配置されている位置に関する位置情報を生成する位置情報生成部と、前記画素選択部が選択する前記画素を発光させる際、当該画素に対して前記位置情報生成部が生成する前記位置情報を重畳して当該画素を発光させる発光処理部と、を備える。【選択図】図１
2019149730.tif 000002
【特許請求の範囲】
【請求項１】
発光素子を有する複数の画素を有する表示部と、
発光させる前記画素を選択する画素選択部と、
前記画素選択部が選択する前記画素が配置されている位置に関する位置情報を生成する位置情報生成部と、
前記画素選択部が選択する前記画素を発光させる際、当該画素に対して前記位置情報生成部が生成する前記位置情報を重畳して当該画素を発光させる発光処理部と、
を備えることを特徴とする表示装置。
【請求項２】
前記画素は、行列状に配置されており、
前記画素選択部は、
発光させる前記画素を行単位と列単位の各々の単位で選択し、
前記位置情報生成部は、
前記画素選択部が選択する前記行単位の画素が配置されている行に関する位置情報を生成し、前記画素選択部が選択する前記列単位の画素が配置されている列に関する位置情報を生成し、
前記発光処理部は、
前記画素選択部が選択する前記行単位の画素を発光させる際、当該行単位の画素に対して前記位置情報生成部が生成する前記行に関する位置情報を重畳して当該画素を発光させ、前記画素選択部が選択する前記列単位の画素を発光させる際、当該列単位の画素に対して前記位置情報生成部が生成する前記列に関する位置情報を重畳して当該画素を発光させる
ことを特徴とする請求項１に記載の表示装置。
【請求項３】
前記表示部は、複数の区画を有し、
前記区画の各々が、前記行列状に配置されている前記画素を含んでおり、
前記画素選択部は、
発光させる前記画素を区画単位で選択し、
前記位置情報生成部は、
前記画素選択部が選択する前記画素が配置されている区画に関する位置情報を生成し、
前記発光処理部は、
前記画素選択部が選択する前記区画単位の画素を発光させる際、当該区画単位の画素に対して前記位置情報生成部が生成する前記区画に関する位置情報を重畳して当該画素を発光させる
ことを特徴とする請求項２に記載の表示装置。
【請求項４】
前記画素選択部は、
前記行単位として、１行ごと、または、連続する複数行ごと、または、一定の間隔を空けた複数行ごとを単位として、発光させる前記画素を選択し、
前記列単位として、１列ごと、または、連続する複数列ごと、または、一定の間隔を空けた複数列ごとを単位として、発光させる前記画素を選択する
ことを特徴とする請求項２または３に記載の表示装置。
【請求項５】
発光素子を有する複数の画素の中から発光させる前記画素を選択し、選択した前記画素が配置されている位置に関する位置情報を重畳して当該画素を発光させる表示装置の前記画素の前記発光素子が発光する際の光を受光して電気信号に変換して出力する受光部と、
前記受光部が出力する前記電気信号から、当該電気信号に重畳されている前記位置情報を検出する位置情報検出部と、
前記位置情報検出部が検出する前記位置情報を出力する出力部と、
を備えることを特徴とする位置検出装置。
【請求項６】
表示装置と、位置検出装置とを備える表示調整システムであって、
前記表示装置は、
発光素子を有する複数の画素を有する表示部と、
発光させる前記画素を選択する画素選択部と、
前記画素選択部が選択する前記画素が配置されている位置に関する位置情報を生成する位置情報生成部と、
前記画素選択部が選択する前記画素を発光させる際、当該画素に対して前記位置情報生成部が生成する前記位置情報を重畳して当該画素を発光させる発光処理部と、
を備え、
前記位置検出装置は、
前記表示装置の前記画素の前記発光素子が発光する際の光を受光して電気信号に変換して出力する受光部と、
前記受光部が出力する前記電気信号から、当該電気信号に重畳されている前記位置情報を検出する位置情報検出部と、
前記位置情報検出部が検出する前記位置情報を出力する出力部と、
を備えることを特徴とする表示調整システム。
【請求項７】
発光素子を有する複数の画素を有する表示装置における表示方法であって、
発光させる前記画素を選択し、
選択した前記画素が配置されている位置に関する位置情報を生成し、
選択した前記画素を発光させる際、当該画素に対して生成した前記位置情報を重畳して当該画素を発光させる
ことを特徴とする表示方法。
【請求項８】
発光素子を有する複数の画素の中から発光させる前記画素を選択し、選択した前記画素が配置されている位置に関する位置情報を重畳して当該画素を発光させる表示装置の前記画素の位置を検出する位置検出方法であって、
前記発光素子が発光する際の光を受光して電気信号に変換し、
変換した前記電気信号から、当該電気信号に重畳されている前記位置情報を検出し、
検出した前記位置情報を出力する
ことを特徴とする位置検出方法。
【請求項９】
発光素子を有する複数の画素を有する表示装置と、位置検出装置とによる表示調整方法であって、
前記表示装置が、
発光させる前記画素を選択し、
選択した前記画素が配置されている位置に関する位置情報を生成し、
選択した前記画素を発光させる際、当該画素に対して生成した前記位置情報を重畳して当該画素を発光させ、
前記位置検出装置が、
前記表示装置の前記画素の前記発光素子が発光する際の光を受光して電気信号に変換し、
変換した前記電気信号から、当該電気信号に重畳されている前記位置情報を検出し、
検出した前記位置情報を出力する
ことを特徴とする表示調整方法。
【発明の詳細な説明】
【技術分野】
【０００１】
本発明は、表示装置、位置検出装置、表示調整システム、表示方法、位置検出方法、及び表示調整方法に関する。
【背景技術】
【０００２】
ＬＥＤ(Light Emitting Diode)ディスプレイに対するキャリブレーションは、一般的に、ディスプレイの画面全体をカメラで撮影し、撮影した画像を解析して、ＬＥＤディスプレイを構成するＲＧＢそれぞれの画素の輝度を調整する手法により行われる（例えば、特許文献１、２参照）。
【０００３】
上記の手法の場合、画面全体をカメラで撮影する必要があるため、ＬＥＤディスプレイが既に設置されていて、画面全体を撮影する構図を設定することができない等の事情がある場合、当該手法を適用することが難しくなることがある。そのため、例えば、設置済みのＬＥＤディスプレイにおいてＬＥＤ素子を交換することにより不良な画素の修理を行う場合、画面全体に対してキャリブレーションを行うのではなく、修理を行った画素のみに対して調整を行うといった別の手法を適用する方が効率的になる場合がある。
【先行技術文献】
【特許文献】
【０００４】
【特許文献１】特開２０１３−２５０４２０号公報
【特許文献２】国際公開第２０１５／０５６３６５号
【発明の概要】
【発明が解決しようとする課題】
【０００５】
上記のように、修理を行った画素のみに対してキャリブレーションを行う手法を適用する場合、当該画素の位置を正確に検出し、検出した位置の画素の輝度を調整する必要がある。しかしながら、近年、ＬＥＤディスプレイは、ＦｉｎｅＰｉｔｃｈ化が進んでおり、修理を行った画素が、何行何列目に存在しているのかを、外観から目視によって正確に特定することが難しくなっているという問題がある。
【０００６】
本発明は、上記問題を解決すべくなされたもので、その目的は、複数の画素を備えた表示装置において、目視によって特定した調整対象の画素の位置を容易に検出する表示装置、位置検出装置、表示調整システム、表示方法、位置検出方法、及び表示調整方法を提供することにある。
【課題を解決するための手段】
【０００７】
上記問題を解決するために、本発明の一態様は、発光素子を有する複数の画素を有する表示部と、発光させる前記画素を選択する画素選択部と、前記画素選択部が選択する前記画素が配置されている位置に関する位置情報を生成する位置情報生成部と、前記画素選択部が選択する前記画素を発光させる際、当該画素に対して前記位置情報生成部が生成する前記位置情報を重畳して当該画素を発光させる発光処理部と、を備えることを特徴とする表示装置である。
【０００８】
また、本発明の一態様は、上記に記載の発明において、前記画素は、行列状に配置されており、前記画素選択部は、発光させる前記画素を行単位と列単位の各々の単位で選択し、前記位置情報生成部は、前記画素選択部が選択する前記行単位の画素が配置されている行に関する位置情報を生成し、前記画素選択部が選択する前記列単位の画素が配置されている列に関する位置情報を生成し、前記発光処理部は、前記画素選択部が選択する前記行単位の画素を発光させる際、当該行単位の画素に対して前記位置情報生成部が生成する前記行に関する位置情報を重畳して当該画素を発光させ、前記画素選択部が選択する前記列単位の画素を発光させる際、当該列単位の画素に対して前記位置情報生成部が生成する前記列に関する位置情報を重畳して当該画素を発光させるようにしてもよい。
【０００９】
また、本発明の一態様は、上記に記載の発明において、前記表示部は、複数の区画を有し、前記区画の各々が、前記行列状に配置されている前記画素を含んでおり、前記画素選択部は、発光させる前記画素を区画単位で選択し、前記位置情報生成部は、前記画素選択部が選択する前記画素が配置されている区画に関する位置情報を生成し、前記発光処理部は、前記画素選択部が選択する前記区画単位の画素を発光させる際、当該区画単位の画素に対して前記位置情報生成部が生成する前記区画に関する位置情報を重畳して当該画素を発光させるようにしてもよい。
【００１０】
また、本発明の一態様は、上記に記載の発明において、前記画素選択部は、前記行単位として、１行ごと、または、連続する複数行ごと、または、一定の間隔を空けた複数行ごとを単位として、発光させる前記画素を選択し、前記列単位として、１列ごと、または、連続する複数列ごと、または、一定の間隔を空けた複数列ごとを単位として、発光させる前記画素を選択するようにしてもよい。
【００１１】
また、本発明の一態様は、発光素子を有する複数の画素の中から発光させる前記画素を選択し、選択した前記画素が配置されている位置に関する位置情報を重畳して当該画素を発光させる表示装置の前記画素の前記発光素子が発光する際の光を受光して電気信号に変換して出力する受光部と、前記受光部が出力する前記電気信号から、当該電気信号に重畳されている前記位置情報を検出する位置情報検出部と、前記位置情報検出部が検出する前記位置情報を出力する出力部と、を備えることを特徴とする位置検出装置である。
【００１２】
また、本発明の一態様は、表示装置と、位置検出装置とを備える表示調整システムであって、前記表示装置は、発光素子を有する複数の画素を有する表示部と、発光させる前記画素を選択する画素選択部と、前記画素選択部が選択する前記画素が配置されている位置に関する位置情報を生成する位置情報生成部と、前記画素選択部が選択する前記画素を発光させる際、当該画素に対して前記位置情報生成部が生成する前記位置情報を重畳して当該画素を発光させる発光処理部と、を備え、前記位置検出装置は、前記表示装置の前記画素の前記発光素子が発光する際の光を受光して電気信号に変換して出力する受光部と、前記受光部が出力する前記電気信号から、当該電気信号に重畳されている前記位置情報を検出する位置情報検出部と、前記位置情報検出部が検出する前記位置情報を出力する出力部と、を備えることを特徴とする表示調整システムである。
【００１３】
また、本発明の一態様は、発光素子を有する複数の画素を有する表示装置における表示方法であって、発光させる前記画素を選択し、選択した前記画素が配置されている位置に関する位置情報を生成し、選択した前記画素を発光させる際、当該画素に対して生成した前記位置情報を重畳して当該画素を発光させることを特徴とする表示方法である。
【００１４】
また、本発明の一態様は、発光素子を有する複数の画素の中から発光させる前記画素を選択し、選択した前記画素が配置されている位置に関する位置情報を重畳して当該画素を発光させる表示装置の前記画素の位置を検出する位置検出方法であって、前記発光素子が発光する際の光を受光して電気信号に変換し、変換した前記電気信号から、当該電気信号に重畳されている前記位置情報を検出し、検出した前記位置情報を出力することを特徴とする位置検出方法である。
【００１５】
また、本発明の一態様は、発光素子を有する複数の画素を有する表示装置と、位置検出装置とによる表示調整方法であって、前記表示装置が、発光させる前記画素を選択し、選択した前記画素が配置されている位置に関する位置情報を生成し、選択した前記画素を発光させる際、当該画素に対して生成した前記位置情報を重畳して当該画素を発光させ、前記位置検出装置が、前記表示装置の前記画素の前記発光素子が発光する際の光を受光して電気信号に変換し、変換した前記電気信号から、当該電気信号に重畳されている前記位置情報を検出し、検出した前記位置情報を出力することを特徴とする表示調整方法である。
【発明の効果】
【００１６】
この発明によれば、複数の画素を備えた表示装置において、目視によって特定した調整対象の画素の位置を容易に検出することが可能となる。
【図面の簡単な説明】
【００１７】
【図１】第１実施形態における表示装置の構成を示すブロック図である。
【図２】同実施形態における位置検出装置の構成を示すブロック図である。
【図３】第２実施形態における表示調整システムの構成を示す図である。
【図４】同実施形態における表示装置の構成を示すブロック図である。
【図５】同実施形態において用いられる種別とヘッダ値の対応関係を示すテーブル構成を示す図である。
【図６】同実施形態において生成されるパケットのデータ形式を示す図である。
【図７】同実施形態において生成される駆動波形の一例を示す図である。
【図８】同実施形態における位置検出装置の構成を示すブロック図である。
【図９】同実施形態における位置検出装置の外観を示す図である。
【図１０】同実施形態における位置検出装置の開口部と画素の位置関係を示す図である。
【図１１】同実施形態の表示装置の処理の流れを示すフローチャートである。
【図１２】同実施形態において生成される駆動波形とＯＮ及びＯＦＦ状態の関係を示す図である。
【図１３】同実施形態の表示装置の表示部がキャビネットディスプレイの全画面に表示するキャリブレーション表示の一例である。
【図１４】同実施形態の表示装置の表示部がキャビネットディスプレイの行に表示するキャリブレーション表示の一例である。
【図１５】同実施形態の表示装置の表示部がキャビネットディスプレイの列に表示するキャリブレーション表示の一例である。
【図１６】同実施形態の位置検出装置の処理の流れを示すフローチャートである。
【図１７】第３実施形態における表示装置の構成を示すブロック図である。
【図１８】同実施形態の表示装置の処理の流れを示すフローチャートである。
【図１９】同実施形態の表示装置の表示部がキャビネットディスプレイの行に表示するキャリブレーション表示の一例である。
【図２０】第４実施形態における表示装置の構成を示すブロック図である。
【図２１】同実施形態の表示装置の処理の流れを示すフローチャートである。
【図２２】同実施形態の表示装置の表示部がキャビネットディスプレイの行に表示するキャリブレーション表示の一例である。
【図２３】第５実施形態における表示装置の構成を示すブロック図である。
【図２４】同実施形態における位置検出装置の外観及び開口部と画素の位置関係を示す図である。
【図２５】同実施形態の表示装置の処理の流れを示すフローチャートである。
【図２６】同実施形態の表示装置の表示部がキャビネットディスプレイの行に表示するキャリブレーション表示の一例である。
【図２７】位置検出装置の他の構成例を示すブロック図である。
【発明を実施するための形態】
【００１８】
（第１実施形態）
以下、本発明の実施形態について図面を参照して説明する。図１は、第１実施形態による表示装置１０の構成を示すブロック図である。表示装置１０は、表示部１１と、画素選択部１２と、位置情報生成部１３と、発光処理部１４とを備える。表示部１１は、発光素子を有する複数の画素を有する。画素選択部１２は、発光させる画素を選択する。位置情報生成部１３は、画素選択部１２が選択する画素が配置されている位置に関する位置情報を生成する。発光処理部１４は、画素選択部１２が選択する画素を発光させる際、当該画素に対して位置情報生成部１３が生成する位置情報を重畳して当該画素を発光させる。
【００１９】
図２は、第１実施形態による位置検出装置２０の構成を示すブロック図である。位置検出装置２０は、受光部２１と、位置情報検出部２２と、出力部２３とを備える。受光部２１は、表示装置１０の画素の発光素子が発光する際の光を受光して電気信号に変換して出力する。位置情報検出部２２は、受光部２１が出力する電気信号から、当該電気信号に重畳されている位置情報を検出する。出力部２３は、位置情報検出部２２が検出する位置情報を出力する。
【００２０】
上記の第１実施形態の構成により、複数の画素を備えた表示装置１０において、目視によって特定した調整対象の画素の位置を位置検出装置２０を用いることで容易に検出することが可能となる。なお、上記の第１実施形態における発光素子は、例えば、ＬＥＤ素子であるが、ＬＥＤ素子以外の他の発光素子が適用されてもよい。
【００２１】
（第２実施形態）
図３は、第２実施形態による表示調整システム１の構成を示す図である。表示調整システム１は、表示装置１０ａと位置検出装置２０ａを備える。
【００２２】
（第２実施形態の表示装置の内部構成）
表示装置１０ａは、図４に示すように、表示部１１ａ、画素選択部１２ａ、位置情報生成部１３ａ、発光処理部１４ａ、及びキャリブレーション表示開始指示部１５を備える。表示装置１０ａにおいて表示部１１ａは、例えば、図３に示すように、４個の区画を有しており、各々の区画は、キャビネットと呼ばれる。なお、キャビネットの数は、４個に限られるものではなく、複数個であれば、どのような個数であってもよい。
【００２３】
各々のキャビネットにＬＥＤディスプレイが組み込まれることにより、表示部１１ａは、１個の大きなＬＥＤディスプレイの画面を構成する。以下、４個のキャビネットに組み込まれたＬＥＤディスプレイの各々を図３に示すように符号を付してキャビネットディスプレイ１１−１，１１−２，１１−３，１１−４という。
【００２４】
キャビネットディスプレイ１１−１〜１１−４の各々には、予め異なるキャビネット番号が付与されている。ここでは、例えば、キャビネットディスプレイ１１−１，１１−２，１１−３，１１−４の各々に対して、キャビネット番号「１」、「２」、「３」、「４」が付与されているものとする。
【００２５】
キャビネットディスプレイ１１−１〜１１−４の各々は、ＬＥＤ素子を有する複数の画素を備えており、複数の画素は、行列状に配置されている。例えば、キャビネットディスプレイ１１−１は、図３に示すように、画素１１１−１−１，１１１−１−２，…，１１１−２−１，…を有する。なお、画素１１１−１−１，１１１−１−２，…，１１１−２−１，…の符号における枝番号は、行番号と列番号に対応しており、例えば、画素１１１−２−１は、前者の枝番号の「２」が２行目の画素であることを示しており、後者の枝番号の「１」が１列目の画素であることを示している。また、以下の説明において、任意の画素を示す場合、枝番号を除いて画素１１１として記載する。
【００２６】
各々の画素１１１は、赤色、緑色、青色の３個のＬＥＤ素子を含んでいる。例えば、画素１１１−１−１は、図３に示すように、赤色のＬＥＤ素子１１１−１−１Ｒと、緑色のＬＥＤ素子１１１−１−１Ｇと、青色のＬＥＤ素子１１１−１−１Ｂとを備えている。
【００２７】
画素選択部１２ａは、記憶部１２０と、キャビネット選択部１２１と、行ライン選択部１２２と、列ライン選択部１２３とを備える。記憶部１２０は、キャビネットディスプレイ１１−１〜１１−４に付与されているキャビネット番号の各々と、キャビネット番号に関連付けて当該キャビネット番号に対応するキャビネットディスプレイ１１−１〜１１−４の各々が備える画素１１１の行数と列数とを記憶する。
【００２８】
キャビネット選択部１２１は、記憶部１２０を参照して、キャリブレーション表示の対象となるいずれか１つのキャビネットディスプレイ１１−１〜１１−４に付与されているキャビネット番号を選択して出力する。
【００２９】
行ライン選択部１２２は、記憶部１２０を参照し、キャビネット選択部１２１が出力したキャビネット番号に関連付けられている行数の範囲内で、キャリブレーション表示の対象となる行を最初の行から１行ずつ順に選択し、選択した行の行番号を出力する。列ライン選択部１２３は、記憶部１２０を参照し、キャビネット選択部１２１が出力したキャビネット番号に関連付けられている列数の範囲内で、キャリブレーション表示の対象となる列を最初の列から１列ずつ順に選択し、選択した列の列番号を出力する。
【００３０】
ここで、キャリブレーション表示とは、キャビネットディスプレイ１１−１〜１１−４の全画面と、当該キャビネットディスプレイ１１−１〜１１−４の各々に含まれる行のライン及び列のラインと、において以下のような表示を行うことである。すなわち、キャビネットディスプレイ１１−１〜１１−４についてのキャリブレーション表示とは、キャビネットディスプレイ１１−１〜１１−４のいずれか１つの全画面を表示信号で白色表示するとともに、当該表示信号にどのキャビネットディスプレイ１１−１〜１１−４であるかを示す位置情報を重畳して表示部１１ａに表示を行うことである。
【００３１】
また、行についてのキャリブレーション表示とは、キャビネットディスプレイ１１−１〜１１−４のいずれか１つにおいて、いずれか１つの行のラインを白色表示するとともに、当該表示信号に何行目であるかを示す位置情報を重畳して表示部１１ａに表示を行うことである。また、列についてのキャリブレーション表示とは、キャビネットディスプレイ１１−１〜１１−４のいずれか１つにおいて、いずれか１つの列のラインを白色表示するとともに、当該表示信号に何列目であるかを示す位置情報を重畳して表示部１１ａに表示を行うことである。
【００３２】
位置情報生成部１３ａは、キャビネット位置情報生成部１３１と、行ライン位置情報生成部１３２と、列ライン位置情報生成部１３３と、位置情報パケット生成部１３４と、記憶部１３５とを備える。記憶部１３５は、図５に示すテーブルを予め記憶する。当該テーブルは、「種別」と「ヘッダ値」の項目を有しており、「種別」の項目には、キャビネット、行ライン、列ラインのいずれかの種別を示す情報が書き込まれ、「ヘッダ値」の項目は、種別の各々に予め割り当てられている１６進数のヘッダ値が書き込まれる。
【００３３】
キャビネット位置情報生成部１３１は、キャビネット選択部１２１が出力するキャビネット番号を取り込んで、記憶部１３５からキャビネットの種別を示すヘッダ情報を読み出す。また、キャビネット位置情報生成部１３１は、取り込んだキャビネット番号を１０進数から１６進数に変換してデータ情報とし、ヘッダ情報とデータ情報とを位置情報パケット生成部１３４に出力する。
【００３４】
行ライン位置情報生成部１３２は、行ライン選択部１２２が出力する行番号を取り込んで、記憶部１３５から行ラインの種別を示すヘッダ情報を読み出す。また、行ライン位置情報生成部１３２は、取り込んだ行番号を１０進数から１６進数に変換してデータ情報とし、ヘッダ情報とデータ情報とを位置情報パケット生成部１３４に出力する。
【００３５】
列ライン位置情報生成部１３３は、列ライン選択部１２３が出力する列番号を取り込んで、記憶部１３５から列ラインの種別を示すヘッダ情報を読み出す。また、列ライン位置情報生成部１３３は、取り込んだ列番号を１０進数から１６進数に変換してデータ情報とし、ヘッダ情報とデータ情報とを位置情報パケット生成部１３４に出力する。
【００３６】
位置情報パケット生成部１３４は、キャビネット位置情報生成部１３１、行ライン位置情報生成部１３２、または列ライン位置情報生成部１３３が出力するヘッダ情報とデータ情報を取り込む。また、位置情報パケット生成部１３４は、取り込んだヘッダ情報とデータ情報とに基づいて、図６に示すデータ形式、すなわちヘッダ情報が書き込まれるヘッダ部が１バイト、データ情報が書き込まれるデータ部が２バイトのデータ形式のパケットを生成する。また、位置情報パケット生成部１３４は、生成したパケットを発光処理部１４ａに出力する。
【００３７】
発光処理部１４ａは、駆動部１４１と、表示信号生成部１４２と、キャビネット番号記憶部１４３とを備える。駆動部１４１は、表示信号生成部１４２が生成して出力する表示信号を取り込み、取り込んだ表示信号にしたがってキャビネットディスプレイ１１−１〜１１−４の全画面、行ライン、または列ラインを明滅させる。
【００３８】
表示信号生成部１４２は、キャビネット選択部１２１が出力するキャビネット番号を取り込んだ場合、取り込んだキャビネット番号の情報をキャビネット番号記憶部１４３に書き込んで記憶させる。また、表示信号生成部１４２は、取り込んだキャビネット番号に対応するキャビネットディスプレイ１１−１〜１１−４の全画面を白色表示する表示信号を生成する。
【００３９】
また、表示信号生成部１４２は、行ライン選択部１２２が出力する行番号を取り込んだ場合、キャビネット番号記憶部１４３に記憶されているキャビネット番号に対応するキャビネットディスプレイ１１−１〜１１−４の当該行番号の行ラインを白色表示する表示信号を生成する。また、表示信号生成部１４２は、列ライン選択部１２３が出力する列番号を取り込んだ場合、キャビネット番号記憶部１４３に記憶されているキャビネット番号に対応するキャビネットディスプレイ１１−１〜１１−４の当該列番号の列ラインを白色表示する表示信号を生成する。
【００４０】
なお、ＬＥＤディスプレイでは、ＰＷＭ（Pulse Width Modulation）制御により高速にＬＥＤ素子を点滅させて輝度の調整が行われる。そのため、表示信号生成部１４２は、内部に高周波数のクロック信号を出力する第１クロック回路と、低周波数のクロック信号を出力する第２クロック回路とを備えており、第１クロック回路が出力する高周波数のクロック信号に基づいてＰＷＭ制御用の高周波数の表示信号を生成する。
【００４１】
また、表示信号生成部１４２は、位置情報パケット生成部１３４が出力するパケットを取り込み、取り込んだパケットに含まれる情報と、第２クロック回路が出力する低周波数のクロック信号にしたがって位置情報を含む駆動波形を生成する。なお、第２クロック回路が出力するクロック信号の低周波数は、フィルタリング処理によって第１クロック回路が出力する高周波数のクロック信号から分離できる程度の周波数差がある低周波数であるものとする。
【００４２】
例えば、位置情報パケット生成部１３４が、「１５６行」を示すパケット、すなわちヘッダ部が「０ｘＦ１」、データ部が「０ｘ００９Ｃ」の情報を含むパケットを生成した場合、表示信号生成部１４２は、図７のタイミングチャートが示す駆動波形を生成する。なお、図７の駆動波形は、第２クロック回路のクロック信号の立下りでデータを確定する波形となっている。
【００４３】
また、表示信号生成部１４２は、キャビネット番号に基づいて生成した全画面を表示する表示信号に対して、当該キャビネット番号の位置情報を含む駆動波形を重畳し、駆動波形を重畳した表示信号を駆動部１４１に出力する。表示信号に対して駆動波形を重畳することにより、表示信号の包絡線が、駆動波形の形状となるため、例えば、ローパスフィルタにより高周波数の点滅成分を除去することで、駆動波形が得られることになる。
【００４４】
また、表示信号生成部１４２は、行番号に基づいて生成した行ラインを表示する表示信号に対して、当該行番号を示す位置情報を含む駆動波形を重畳し、駆動波形を重畳した表示信号を駆動部１４１に出力する。また、表示信号生成部１４２は、列番号に基づいて生成した列ラインを表示する表示信号に対して、当該列番号の位置を示す位置情報を含む駆動波形を重畳し、駆動波形を重畳した表示信号を駆動部１４１に出力する。キャビネット番号記憶部１４３は、表示信号生成部１４２に書き込まれるキャビネット番号を記憶する。
【００４５】
（第２実施形態の位置検出装置の内部構成）
位置検出装置２０ａは、図８に示すように、受光部２１ａ、位置情報検出部２２ａ、出力部２３ａ、及び起動部２９を備える。位置検出装置２０ａの外観は、例えば、図９に示すようにペンの形状をしており、表示装置１０ａのキャリブレーションを行う作業者が、ペンを握るように本体部２０３を握って位置検出装置２０ａを利用する。例えば、図３に示すように、キャビネットディスプレイ１１−１の４０行５０列目の画素１１１−４０−５０に対してキャリブレーションを行う場合、画素１１１−４０−５０を開口部２０２で覆うように位置検出装置２０ａを近づけて利用する。
【００４６】
開口部２０２は、図１０に示すように、対象となる画素１１１−４０−５０が出射する光のみを受光し、上下、左右、及び斜め方向において隣接する画素１１１−３９−４９，１１１−３９−５０，…が出射する光を取り込まない構造を有している。
【００４７】
位置検出装置２０ａにおいて、受光部２１ａは、例えば、フォトセンサであり、図９に示すように先端部２０１の内部に備えられ、開口部２０２を通じて画素１１１が出射する光を受光し、受光した光を電気信号に変換して位置情報検出部２２ａに出力する。
【００４８】
位置情報検出部２２ａは、フィルタ部２２１と、復号部２２２と、記憶部２２３とを備える。記憶部２２３は、図５に示すテーブルを予め記憶する。フィルタ部２２１は、受光部２１ａが出力する電気信号に対して高周波数の信号をカットするローパスフィルタリングを行い、ＰＷＭ制御に用いられている高周波数の点滅成分を除去して低周波数の駆動波形を出力する。
【００４９】
復号部２２２は、フィルタ部２２１が出力する駆動波形を１６進数に復号して図６に示すデータ形式の情報を復元し、復元した情報をヘッダ部とデータ部に分離する。また、復号部２２２は、記憶部２２３が記憶するテーブルを参照してヘッダ部に含まれる情報の種別を示す「キャビネット」、「行ライン」、「列ライン」のいずれかの情報を出力する。また、復号部２２２は、データ部に含まれる情報を１０進数に変換し、変換した値を位置情報として出力する。
【００５０】
出力部２３ａは、例えば、液晶ディスプレイ等の画面を有しており、当該画面が、図９に示すように、位置検出装置２０ａの本体部２０３に組み込まれており、復号部２２２が出力する種別の情報と、位置情報とを出力して画面に表示する。起動部２９は、スイッチを備えており、スイッチがＯＮ状態なると、位置検出装置２０ａの他の機能部を起動して処理を開始させ、スイッチがＯＦＦ状態になると、位置検出装置２０ａの他の機能部の処理を終了させる。
【００５１】
（第２実施形態の表示装置による処理）
図１１は、第２実施形態の表示装置１０ａによる処理の流れを示すフローチャートである。表示装置１０ａのキャリブレーションを行う作業者が、例えば、表示装置１０ａに備えられているボタン等を押下することにより、キャリブレーション表示開始指示部１５が、開始指示情報を画素選択部１２ａに出力する（ステップＳａ１）。
【００５２】
画素選択部１２ａが開始指示情報を受けると、画素選択部１２ａのキャビネット選択部１２１は、いずれか１つの未選択のキャビネットディスプレイ１１−１〜１１−４を選択する（ステップＳａ２）。ステップＳａ２が、最初に行われる場合、全てのキャビネットディスプレイ１１−１〜１１−４が未選択の状態であるため、例えば、キャビネット選択部１２１は、最初に、キャビネットディスプレイ１１−１を選択したとして以下の説明を行う。
【００５３】
キャビネット選択部１２１は、記憶部１２０を参照し、選択したキャビネットディスプレイ１１−１に付与されているキャビネット番号である「１」を読み出し、キャビネット番号「１」を、行ライン選択部１２２と、列ライン選択部１２３と、位置情報生成部１３ａと、発光処理部１４ａとに出力する。位置情報生成部１３ａのキャビネット位置情報生成部１３１は、キャビネット選択部１２１が出力するキャビネット番号「１」を取り込み、取り込んだキャビネット番号を１０進数の「１」から１６進数「０ｘ０００１」に変換する。
【００５４】
キャビネット位置情報生成部１３１は、記憶部１３５のテーブルから「キャビネット」の種別に対応するヘッダ値「０ｘＦ０」を読み出し、読み出したヘッダ値と、１６進数に変換したキャビネット番号「０ｘ０００１」とを位置情報パケット生成部１３４に出力する。
【００５５】
位置情報パケット生成部１３４は、キャビネット位置情報生成部１３１が出力するヘッダ情報とデータ情報とに基づいて、図６に示すデータ形式のパケット「０ｘＦ００００１」を生成する。位置情報パケット生成部１３４は、生成したパケットを発光処理部１４ａに出力する（ステップＳａ３）。
【００５６】
発光処理部１４ａの表示信号生成部１４２は、キャビネット選択部１２１が出力するキャビネット番号「１」を取り込み、取り込んだキャビネット番号「１」をキャビネット番号記憶部１４３に書き込んで記憶させる。表示信号生成部１４２は、取り込んだキャビネット番号に対応するキャビネットディスプレイ１１−１の全画面を白色表示する表示信号を生成する。
【００５７】
表示信号生成部１４２は、位置情報パケット生成部１３４が出力するパケットを取り込み、取り込んだパケットに基づいてキャビネット番号「１」の位置情報を含む駆動波形を生成する。表示信号生成部１４２は、キャビネットディスプレイ１１−１の全画面を白色表示する表示信号に対して、生成した駆動波形を重畳し、駆動波形を重畳した表示信号を駆動部１４１に出力する（ステップＳａ４）。
【００５８】
行ライン選択部１２２は、記憶部１２０を参照し、キャビネット選択部１２１が出力するキャビネット番号「１」に関連付けられている行数の範囲内で、最初の行から順に１行ずつ選択する。行ライン選択部１２２は、選択した行の行番号を位置情報生成部１３ａと、発光処理部１４ａとに出力する。位置情報生成部１３ａの行ライン位置情報生成部１３２は、行ライン選択部１２２が出力する行番号を取り込み、取り込んだ行番号を１０進数から１６進数に変換する。
【００５９】
行ライン位置情報生成部１３２は、記憶部１３５のテーブルから「行ライン」の種別に対応するヘッダ値「０ｘＦ１」を読み出し、読み出したヘッダ値と、１６進数に変換した行番号とを位置情報パケット生成部１３４に出力する。
【００６０】
位置情報パケット生成部１３４は、行ライン位置情報生成部１３２が出力するヘッダ情報とデータ情報とに基づいて、図６に示すデータ形式のパケットを生成する。位置情報パケット生成部１３４は、生成したパケットを発光処理部１４ａに出力する（ステップＳａ５）。
【００６１】
発光処理部１４ａの表示信号生成部１４２は、行ライン選択部１２２が出力する行番号を取り込むと、キャビネット番号記憶部１４３が記憶しているキャビネット番号を読み出す。ここでは、キャビネット番号記憶部１４３は、キャビネット番号「１」を記憶しているため、表示信号生成部１４２は、キャビネット番号「１」を読み出し、読み出したキャビネット番号「１」に対応するキャビネットディスプレイ１１−１において、取り込んだ行番号の行ラインを白色表示する表示信号を生成する。
【００６２】
表示信号生成部１４２は、位置情報パケット生成部１３４が出力するパケットを取り込み、取り込んだパケットに基づいて行番号の位置情報を含む駆動波形を生成する。表示信号生成部１４２は、生成した表示信号に対して、生成した駆動波形を重畳し、駆動波形を重畳した表示信号を駆動部１４１に出力する（ステップＳａ６）。
【００６３】
行ライン選択部１２２、行ライン位置情報生成部１３２、位置情報パケット生成部１３４、及び表示信号生成部１４２は、最後の行までステップＳａ５及びステップＳａ６の処理を繰り返し行う（ループＬａ１ｓ〜Ｌａ１ｅ）。
【００６４】
列ライン選択部１２３は、記憶部１２０を参照し、キャビネット選択部１２１が出力するキャビネット番号「１」に関連付けられている列数の範囲内で、最初の列から順に１列ずつ選択する。列ライン選択部１２３は、選択した列の列番号を位置情報生成部１３ａと、発光処理部１４ａとに出力する。位置情報生成部１３ａの列ライン位置情報生成部１３３は、列ライン選択部１２３が出力する列番号を取り込み、取り込んだ列番号を１０進数から１６進数に変換する。
【００６５】
列ライン位置情報生成部１３３は、記憶部１３５のテーブルから「列ライン」の種別に対応するヘッダ値「０ｘＦ２」を読み出し、読み出したヘッダ値と、１６進数に変換した列番号とを位置情報パケット生成部１３４に出力する。
【００６６】
位置情報パケット生成部１３４は、列ライン位置情報生成部１３３が出力するヘッダ情報とデータ情報とに基づいて、図６に示すデータ形式のパケットを生成する。位置情報パケット生成部１３４は、生成したパケットを発光処理部１４ａに出力する（ステップＳａ７）。
【００６７】
発光処理部１４ａの表示信号生成部１４２は、列ライン選択部１２３が出力する列番号を取り込むと、キャビネット番号記憶部１４３が記憶しているキャビネット番号を読み出す。ここでは、キャビネット番号記憶部１４３は、キャビネット番号「１」を記憶しているため、表示信号生成部１４２は、キャビネット番号「１」を読み出し、読み出したキャビネット番号「１」に対応するキャビネットディスプレイ１１−１において、取り込んだ列番号の列ラインを白色表示する表示信号を生成する。
【００６８】
表示信号生成部１４２は、位置情報パケット生成部１３４が出力するパケットを取り込み、取り込んだパケットに基づいて列番号の位置情報を含む駆動波形を生成する。表示信号生成部１４２は、生成した表示信号に対して、生成した駆動波形を重畳し、駆動波形を重畳した表示信号を駆動部１４１に出力する（ステップＳａ８）。
【００６９】
列ライン選択部１２３、列ライン位置情報生成部１３３、位置情報パケット生成部１３４、及び表示信号生成部１４２は、最後の列までステップＳａ７及びステップＳａ８の処理を繰り返し行う（ループＬａ２ｓ〜Ｌａ２ｅ）。
【００７０】
駆動部１４１は、表示信号生成部１４２が出力する駆動波形が重畳された表示信号を取り込み、取り込んだ表示信号を表示部１１ａに出力する。表示部１１ａは、表示信号を取り込み、キャビネットディスプレイ１１−１の全画面を白色に明滅させた後、キャビネットディスプレイ１１−１の行ごと、列ごとの順で白色に明滅させる（ステップＳａ９）。
【００７１】
例えば、表示部１１ａが、キャビネットディスプレイ１１−１の全画面を表示する表示信号を取り込んだ場合、図１２に示すように、表示信号に重畳されている駆動波形が「１」、すなわちＯＮ状態の場合、図１３（ａ）に示すようにキャビネットディスプレイ１１−１の全画面を白色表示する。なお、図１３は、紙面の色、すなわち無色の領域が、ＯＦＦ状態を示しており、図１３（ａ）のキャビネットディスプレイ１１−１に付したパターンが、白色表示している状態を示している。
【００７２】
一方、表示部１１ａは、図１２に示すように表示信号に重畳されている駆動波形が「０」、すなわちＯＦＦ状態の場合、図１３（ｂ）に示すようにキャビネットディスプレイ１１−１の表示をＯＦＦにする。これにより、キャビネットディスプレイ１１−１の全画面が、駆動波形のＯＮ状態とＯＦＦ状態のパターンにしたがって明滅する。
【００７３】
表示部１１ａが、キャビネットディスプレイ１１−１における行ごとの表示信号を取り込んだ場合、図１４に示すように、１行目の行ライン１１１−Ｘａ１から順に、２行目の行ライン１１１−Ｘａ２、３行目の行ライン１１１−Ｘａ３というように１行ずつ白色表示していく。なお、図１４においても、紙面の色、すなわち無色の領域が、ＯＦＦ状態を示しており、図１４は、３行目の行ライン１１１−Ｘａ３が白色表示されている状態を示している。
【００７４】
表示部１１ａは、１行目の行ライン１１１−Ｘａ１を表示する際、表示信号に重畳されている１行目を示す位置情報を含む駆動波形にしたがって行ライン１１１−Ｘａ１を明滅させる。表示部１１ａは、次の２行目の行ライン１１１−Ｘａ２を表示する際、表示信号に重畳されている２行目を示す位置情報を含む駆動波形にしたがって行ライン１１１−Ｘａ２を明滅させるということを、破線の矢印の方向に向かって最終行まで繰り返し行う。
【００７５】
表示部１１ａが、キャビネットディスプレイ１１−１における列ごとの表示信号を取り込んだ場合、図１５に示すように、１列目の列ライン１１１−Ｙａ１から順に、２列目の列ライン１１１−Ｙａ２、３列目の列ライン１１１−Ｙａ３というように１列ずつ白色表示していく。なお、図１５においても、紙面の色、すなわち無色の領域が、ＯＦＦ状態を示しており、図１５は、３列目の列ライン１１１−Ｙａ３が白色表示されている状態を示している。
【００７６】
表示部１１ａは、１列目の列ライン１１１−Ｙａ１を表示する際、表示信号に重畳されている１列目を示す位置情報を含む駆動波形にしたがって列ライン１１１−Ｙａ１を明滅させる。表示部１１ａは、次の２列目の列ライン１１１−Ｘａ２を表示する際、表示信号に重畳されている２列目を示す位置情報を含む駆動波形にしたがって列ライン１１１−Ｙａ２を明滅させるということを、破線の矢印の方向に向かって最終列まで繰り返し行う。
【００７７】
表示部１１ａは、取り込んだ表示信号に対する表示が全て完了すると、表示完了情報を画素選択部１２ｂに出力する。画素選択部１２ｂのキャビネット選択部１２１は、表示完了情報を受けると、全てのキャビネットディスプレイ１１−１〜１１−４を選択したか否かを判定する（ステップＳａ１０）。
【００７８】
キャビネット選択部１２１は、全てのキャビネットディスプレイ１１−１〜１１−４を選択したと判定した場合（ステップＳａ１０、Ｙｅｓ）、処理を終了する。一方、キャビネット選択部１２１は、全てのキャビネットディスプレイ１１−１〜１１−４を選択していないと判定した場合（ステップＳａ１０、Ｙｅｓ）、ステップＳａ２に処理を戻し、未選択のキャビネットディスプレイ１１−１〜１１−４の中からいずれか１つ、例えば、次のキャビネットディスプレイ１１−２を選択する。
【００７９】
キャビネット選択部１２１は、選択したキャビネットディスプレイ１１−２に付与されているキャビネット番号「２」を、行ライン選択部１２２と、列ライン選択部１２３と、位置情報生成部１３ａと、発光処理部１４ａとに出力し、ステップＳａ３以降の処理が行われる。
【００８０】
（第２実施形態の位置検出装置による処理）
図１６は、第２実施形態の位置検出装置２０ａによる処理の流れを示すフローチャートである。ここでは、一例として、作業者が、図３に示すように、表示装置１０ａのキャビネットディスプレイ１１−１の４０行目５０列目の画素１１１−４０−５０のドットキャリブレーション、すなわち画素１１１−４０−５０の輝度のバランスの調整を行うものとして以下の説明を行う。
【００８１】
作業者は、位置検出装置２０ａの起動部２９のスイッチをＯＮ状態にして、キャビネットディスプレイ１１−１の４０行５０列目の画素１１１−４０−５０を位置検出装置２０ａの開口部２０２で覆うように位置検出装置２０ａを近づける。また、作業者は、表示装置１０ａに備えられているキャリブレーション表示開始指示部に開始指示情報を出力させるボタン等を押下して、表示装置１０ａにキャリブレーション表示を開始させる。
【００８２】
表示装置１０ａにおいてキャリブレーション表示が開始され、例えば、最初に、表示装置１０ａが、キャビネットディスプレイ１１−１の全画面を白色表示したとする。位置検出装置２０ａの受光部２１ａは、画素１１１−４０−５０が出射する光を受光する（ステップＳ１）。
【００８３】
受光部２１ａは、受光した光を電気信号に変換して位置情報検出部２２ａに出力する。位置情報検出部２２ａのフィルタ部２２１は、受光部２１ａが出力する電気信号を取り込み、取り込んだ電気信号に対してローパスフィルタリングをして高周波数の点滅成分を除去する。フィルタ部２２１は、ローパスフィルタリングの結果として低周波数の駆動波形を有する電気信号を生成する。フィルタ部２２１は、生成した低周波数の駆動波形を有する電気信号を復号部２２２に出力する（ステップＳ２）。
【００８４】
復号部２２２は、フィルタ部２２１が出力する電気信号を取り込み、取り込んだ電気信号を２値化し、更に、１６進数に復号して、図６に示すデータ形式の情報を復元する。復号部２２２は、データ形式のヘッダ部からヘッダ情報を検出し、記憶部２２３が記憶するテーブルを参照して、検出したヘッダ情報に対応する種別の情報、ここでは、「キャビネット」を検出する（ステップＳ３）。
【００８５】
復号部２２２は、データ形式のデータ部からデータ情報を検出し、検出したデータ情報を１０進数に変換して位置情報とする。ここでは、位置情報としてキャビネットディスプレイ１１−１に付与されているキャビネット番号「１」が得られる（ステップＳ４）。復号部２２２は、種別の情報と、位置情報とを出力部２３ａに出力する。
【００８６】
出力部２３ａは、種別の情報と、位置情報とを画面に表示する。ここでは、出力部２３ａは、例えば、「キャビネット：１」という内容を画面に表示する（ステップＳ５）。
【００８７】
作業者によって起動部２９のスイッチがＯＦＦ状態にされるまで、ステップＳ１からの処理が繰り返し行われる。引き続き、表示装置１０ａが、行ラインのキャリブレーション表示を行い、１行目から順に行ラインを表示する。表示装置１０ａが、４０行目の行ラインを表示する際、受光部２１ａは、画素１１１−４０−５０が出射する光を受光する。当該光には、４０行目の位置を示す位置情報が重畳されているため、ステップＳ２からＳ４の処理を経て、ステップＳ５において、位置検出装置２０ａの出力部２３ａは、例えば、「行：４０」の内容を画面に表示する。
【００８８】
引き続き、表示装置１０ａが、列ラインのキャリブレーション表示を行い、１列目から順に列ラインを表示する。表示装置１０ａが、５０列目の列ラインを表示する際、受光部２１ａは、画素１１１−４０−５０が出射する光を受光する。当該光には、５０列目の位置を示す位置情報が重畳されているため、ステップＳ２からＳ４の処理を経て、ステップＳ５において、位置検出装置２０ａの出力部２３ａは、例えば、「列：５０」の内容を画面に表示する。
【００８９】
これにより、作業者は、キャリブレーション対象の画素１１１−４０−５０の位置が、キャビネットディスプレイ１１−１における４０行目５０列目であることを正確に、かつ容易に把握することができる。そのため、作業者は、キャリブレーション対象の画素１１１−４０−５０の位置把握に要する時間を短縮することができる。そして、作業者は、得られた位置情報を用いて、表示装置１０ａにおいて、ドットキャリブレーション、すなわち肉眼で画素１１１−４０−５０の輝度を目視しながら、輝度のバランス調整を行うことが可能となる。
【００９０】
上記の第２実施形態の構成において、表示装置１０ａにおける表示部１１ａは、複数の区画、すなわちキャビネットを有しており、キャビネットの各々には、ＬＥＤ素子を有する複数の画素１１１が行列状に配置されている。画素選択部１２ａは、発光させる画素１１１をキャビネット単位、１行単位、または１列単位で選択する。位置情報生成部１３ａは、画素選択部１２ａが選択する画素１１１が配置されているキャビネット、行、または列に関する位置情報を生成する。発光処理部１４ａは、画素選択部１２ａが選択する画素１１１を発光させる際、画素選択部１２ａが選択する画素１１１に対して位置情報生成部１３ａが生成した位置情報を重畳して当該画素１１１を発光させる。
【００９１】
また、位置検出装置２０ａにおける受光部２１ａは、表示装置１０ａの画素１１１のＬＥＤ素子が発光する際の光を受光する。位置情報検出部２２ａは、受光部２１ａが受光する光から、当該光に重畳されている位置情報を検出する。出力部２３ａは、位置情報検出部２２ａが検出する位置情報を出力する。これにより、複数の画素を備えた表示装置１０ａにおいて、目視によって特定した調整対象の画素１１１の位置を、位置検出装置２０ａを用いて容易に検出することが可能となる。
【００９２】
なお、上記の第２実施形態において、ループＬａ１ｓ〜Ｌａ１ｅ、及びループＬａ２ｓ〜Ｌａ２ｅの処理は、図１１のフローチャートに示す通り、ステップＳａ４の後にループＬａ１ｓ〜Ｌａ１ｅが行われ、ループＬａ１ｓ〜Ｌａ１ｅの後にループＬａ２ｓ〜Ｌａ２ｅが行われるように、キャビネット選択部１２１、行ライン選択部１２２、列ライン選択部１２３が同期して処理を行うものとしているが、本発明の構成は、当該実施の形態に限られない。例えば、表示信号生成部１４２が、バッファを備えており、キャビネット番号、行番号、列番号の位置情報と、当該位置情報に対応するパケットとを対応付けて記憶することができる構成を備えているとする。このような構成にすることで、位置情報と、当該位置情報に対応するパケットとを混在させずにバッファに記憶させておくことができるので、ステップＳａ２からステップＳａ４の処理、ループＬａ１ｓ〜Ｌａ１ｅの処理、及びループＬａ２ｓ〜Ｌａ２ｅの処理を並列に行うことができる。ただし、並列に表示信号を生成する場合、表示信号の順が全画面の表示、行ごとの表示、列ごとの表示の順にならない可能性もある。例えば、表示部１１ａは、キャビネットディスプレイ１１−１〜１１−４の中のいずれか１つの画面において、１行目を表示した後に、１列目を表示するといったような表示順になることもある。
【００９３】
（第３実施形態）
図１７は、第３実施形態による表示装置１０ｂの構成を示すブロック図である。第２実施形態の表示装置１０ａは、行ラインについては、１行ずつ、列ラインについては、１列ずつキャリブレーション表示を行っていた。これに対して、第３実施形態の表示装置１０ｂは、行ラインについて、連続する３行を重複せずに選択することを繰り返し、また、列ラインについて、連続する３列を重複せずに選択することを繰り返してキャリブレーション表示を行う。
【００９４】
図１７において、第２実施形態の表示装置１０ａと同一の構成については同一の符号を付し、以下、異なる構成について説明する。表示装置１０ｂは、表示部１１ａ、画素選択部１２ｂ、位置情報生成部１３ａ、発光処理部１４ｂ、及びキャリブレーション表示開始指示部１５を備える。
【００９５】
画素選択部１２ｂは、記憶部１２０、キャビネット選択部１２１、行ライン選択部１２２ｂ、及び列ライン選択部１２３ｂを備える。画素選択部１２ｂにおいて行ライン選択部１２２ｂは、記憶部１２０を参照し、キャビネット選択部１２１が出力したキャビネット番号に関連付けられている行数の範囲内で、キャリブレーション表示の対象となる行を最初の行から順に連続する３行ずつを重複させずに選択する。また、行ライン選択部１２２ｂは、選択した３行の各々の行番号を発光処理部１４ｂに出力し、選択した３個の行の中央の行の行番号を位置情報生成部１３ａに出力する。
【００９６】
列ライン選択部１２３ｂは、記憶部１２０を参照し、キャビネット選択部１２１が出力したキャビネット番号に関連付けられている列数の範囲内で、キャリブレーション表示の対象となる列を最初の列から順に連続する３列ずつを重複させずに選択する。また、列ライン選択部１２３ｂは、選択した３列の各々の列番号を発光処理部１４ｂに出力し、選択した３個の列の中央の列の列番号を位置情報生成部１３ａに出力する。
【００９７】
表示信号生成部１４２ｂは、表示信号生成部１４２と同様に、キャビネット選択部１２１が出力するキャビネット番号を取り込んだ場合、取り込んだキャビネット番号の情報をキャビネット番号記憶部１４３に書き込んで記憶させる。また、表示信号生成部１４２ｂは、表示信号生成部１４２と同様に、取り込んだキャビネット番号に対応するキャビネットディスプレイ１１−１〜１１−４の全画面を白色表示する表示信号を生成する。また、表示信号生成部１４２ｂは、当該全画面を表示する表示信号に対して、キャビネット番号に基づいて位置情報パケット生成部１３４が生成した位置情報を含む駆動波形を重畳し、駆動波形を重畳した表示信号を駆動部１４１に出力する。
【００９８】
また、表示信号生成部１４２ｂは、行ライン選択部１２２ｂが出力する３個の行番号を取り込んだ場合、キャビネット番号記憶部１４３に記憶されているキャビネット番号に対応するキャビネットディスプレイ１１−１〜１１−４の当該３個の行番号に対応する３個の行ラインを白色表示する表示信号を生成する。また、表示信号生成部１４２ｂは、当該３個の行ラインを表示する表示信号に対して、当該３個の行の中央の行の行番号に基づいて位置情報パケット生成部１３４が生成した位置情報を含む駆動波形を重畳し、駆動波形を重畳した表示信号を駆動部１４１に出力する。
【００９９】
また、表示信号生成部１４２ｂは、列ライン選択部１２３ｂが出力する３個の列番号を取り込んだ場合、キャビネット番号記憶部１４３に記憶されているキャビネット番号に対応するキャビネットディスプレイ１１−１〜１１−４の当該３個の列番号に対応する３個の列ラインを白色表示する表示信号を生成する。また、表示信号生成部１４２ｂは、当該３個の列ラインを表示する表示信号に対して、当該３個の列の中央の列の列番号に基づいて位置情報パケット生成部１３４が生成したが生成した位置情報を含む駆動波形を重畳し、駆動波形を重畳した表示信号を駆動部１４１に出力する。
【０１００】
（第３実施形態の表示装置による処理）
図１８は、第３実施形態の表示装置１０ｂによる処理の流れを示すフローチャートである。図１８において、ステップＳｂ１からステップＳｂ４、及びステップＳｂ１０のそれぞれの処理については、図１１に示した第２実施形態の表示装置１０ａによるステップＳａ１からステップＳａ４、及びステップＳａ１０の処理と同一の処理が行われる。以下、ステップＳｂ４の後に行われる処理について説明する。
【０１０１】
行ライン選択部１２２ｂは、記憶部１２０を参照し、キャビネット選択部１２１が出力するキャビネット番号に関連付けられている行数の範囲内で、最初の行から順に連続する３行を重複せずに選択する。具体的には、行ライン選択部１２２ｂは、最初に１行目から３行目までを選択すると、次の選択では、４行目から６行目までを選択するというように選択を行っていく。
【０１０２】
行ライン選択部１２２ｂは、選択した３個の行の各々の行番号を発光処理部１４ｂに出力し、選択した３個の行の中央の行の行番号を位置情報生成部１３ａに出力する。位置情報生成部１３ａの行ライン位置情報生成部１３２は、行ライン選択部１２２ｂが出力する３個の行の中央の行の行番号を取り込み、取り込んだ行番号を１０進数から１６進数に変換する。
【０１０３】
行ライン位置情報生成部１３２は、記憶部１３５のテーブルから「行ライン」の種別に対応するヘッダ値「０ｘＦ１」を読み出し、読み出したヘッダ値と、１６進数に変換した行番号とを位置情報パケット生成部１３４に出力する。
【０１０４】
位置情報パケット生成部１３４は、行ライン位置情報生成部１３２が出力するヘッダ情報とデータ情報とに基づいて、図６に示すデータ形式のパケットを生成する。位置情報パケット生成部１３４は、生成したパケットを発光処理部１４ｂに出力する（ステップＳｂ５）。
【０１０５】
発光処理部１４ｂの表示信号生成部１４２ｂは、行ライン選択部１２２ｂが出力する３個の行番号を取り込むと、キャビネット番号記憶部１４３が記憶しているキャビネット番号を読み出す。表示信号生成部１４２ｂは、読み出したキャビネット番号に対応するキャビネットディスプレイ１１−１〜１１−４において、取り込んだ３個の行番号に対応する３個の行ラインを白色表示する表示信号を生成する。
【０１０６】
表示信号生成部１４２ｂは、位置情報パケット生成部１３４が出力するパケットを取り込み、取り込んだパケットに基づいて行番号の位置情報を含む駆動波形を生成する。表示信号生成部１４２ｂは、生成した表示信号に対して、生成した駆動波形を重畳し、駆動波形を重畳した表示信号を駆動部１４１に出力する（ステップＳｂ６）。
【０１０７】
行ライン選択部１２２ｂ、行ライン位置情報生成部１３２、位置情報パケット生成部１３４、及び表示信号生成部１４２ｂは、最後の行までステップＳｂ５及びステップＳｂ６の処理を繰り返し行う（ループＬｂ１ｓ〜Ｌｂ１ｅ）。
【０１０８】
列ライン選択部１２３ｂは、記憶部１２０を参照し、キャビネット選択部１２１が出力するキャビネット番号に関連付けられている列数の範囲内で、最初の列から順に連続する３列を重複せずに選択する。具体的には、列ライン選択部１２３ｂは、最初に１列目から３列目までを選択すると、次の選択では、４列目から６列目までを選択するというように選択を行っていく。
【０１０９】
列ライン選択部１２３ｂは、選択した３個の列の各々の列番号を発光処理部１４ｂに出力し、選択した３個の列の中央の列の列番号を位置情報生成部１３ａに出力する。位置情報生成部１３ａの列ライン位置情報生成部１３３は、列ライン選択部１２３ｂが出力する３個の列の中央の列の列番号を取り込み、取り込んだ列番号を１０進数から１６進数に変換する。
【０１１０】
列ライン位置情報生成部１３３は、記憶部１３５のテーブルから「列ライン」の種別に対応するヘッダ値「０ｘＦ２」を読み出し、読み出したヘッダ値と、１６進数に変換した列番号とを位置情報パケット生成部１３４に出力する。
【０１１１】
位置情報パケット生成部１３４は、列ライン位置情報生成部１３３が出力するヘッダ情報とデータ情報とに基づいて、図６に示すデータ形式のパケットを生成する。位置情報パケット生成部１３４は、生成したパケットを発光処理部１４ｂに出力する（ステップＳｂ７）。
【０１１２】
発光処理部１４ｂの表示信号生成部１４２ｂは、列ライン選択部１２３ｂが出力する３個の列番号を取り込むと、キャビネット番号記憶部１４３が記憶しているキャビネット番号を読み出す。表示信号生成部１４２ｂは、読み出したキャビネット番号に対応するキャビネットディスプレイ１１−１〜１１−４において、取り込んだ３個の列番号に対応する３個の列ラインを白色表示する表示信号を生成する。
【０１１３】
表示信号生成部１４２ｂは、位置情報パケット生成部１３４が出力するパケットを取り込み、取り込んだパケットに基づいて列番号の位置情報を含む駆動波形を生成する。表示信号生成部１４２ｂは、生成した表示信号に対して、生成した駆動波形を重畳し、駆動波形を重畳した表示信号を駆動部１４１に出力する（ステップＳｂ８）。
【０１１４】
列ライン選択部１２３ｂ、列ライン位置情報生成部１３３、位置情報パケット生成部１３４、及び表示信号生成部１４２ｂは、最後の列までステップＳｂ７及びステップＳｂ８の処理を繰り返し行う（ループＬｂ２ｓ〜Ｌｂ２ｅ）。
【０１１５】
駆動部１４１は、表示信号生成部１４２ｂが出力する駆動波形が重畳された表示信号を取り込み、取り込んだ表示信号を表示部１１ａに出力する。表示部１１ａは、表示信号を取り込み、ステップＳｂ２においてキャビネット選択部１２１が選択するキャビネットディスプレイ１１−１〜１１−４の各々において、全画面を白色に明滅させた後、連続する３行単位、連続する３列単位の順で白色に明滅させる（ステップＳｂ９）。
【０１１６】
例えば、図１９に示すように、表示部１１ａは、最初のキャビネットディスプレイ１１−１において、行について、１行目から３行目までの行ライン１１１−Ｘｂ１を表示した後、４行目から６行目までの行ライン１１１−Ｘｂ２を表示するといったように、連続する３行を重複なしで表示していく。なお、図１９は、紙面の色、すなわち無色の領域が、ＯＦＦ状態を示しており、図１９は、７行目から９行目までの行ライン１１１−Ｘｂ３が表示されている状態を示している。
【０１１７】
第３実施形態における表示調整システムは、上述した表示装置１０ｂと、第２実施形態の位置検出装置２０ａとを備える。そのため、作業者は、第２実施形態の位置検出装置２０ａを用いて位置の検出を行う。画素１１１の位置を検出する際、第２実施形態と同様に、作業者が画素１１１を開口部２０２で覆うように位置検出装置２０ａを近づけて位置の検出を行う。例えば、第２実施形態と同様に画素１１１−４０−５０を対象とする場合、検出のタイミングは、行ラインについては、４０行目、４１行目、４２行目の３個の行が同時に表示される際となり、列ラインについては、４９列目、５０列目、５１列目の３個の列が同時に表示される際となる。
【０１１８】
４０行目、４１行目、４２行目の３個の行が同時に表示される際に重畳される位置情報は、中央の４１行目の位置情報となる。また、４９列目、５０列目、５１列目の３個の列が同時に表示される際に重畳される位置情報は、中央の５０列目の位置情報となる。
【０１１９】
そのため、作業者が画素１１１−４０−５０を開口部２０２で覆うように位置検出装置２０ａを近づけている場合、位置検出装置２０ａの出力部２３ａは、最初に「キャビネット：１」の内容を画面に表示し、次に「行：４１」の内容を表示し、その後に、「列：５０」の内容を表示する。したがって、第３実施形態の表示装置１０ｂの構成により作業者は、画素１１１−４０−５０が、キャビネット番号が「１」のキャビネットディスプレイ１１−１における４１行目の付近であって、かつ５０列目の付近に存在することを検出することができる。
【０１２０】
画素１１１−４０−５０の調整には、更に正確な位置を検出する必要があるため、例えば、第２実施形態の表示装置１０ａの構成において、図１１に示す処理のループＬａ１ｓ〜Ｌａ１ｅの範囲を１行目から最終行とするのではなく、例えば、４１行目の前後、すなわち４０行目から４２行目を繰り返し範囲とする。また、図１１に示す処理のループＬａ２ｓ〜Ｌａ２ｅの範囲を１列目から最終列とするのではなく、例えば、５０列目の前後、すなわち４９列目から５１列目を繰り返し範囲とする。これにより、作業者は、画素１１１−４０−５０の正確な位置を検出することができる。
【０１２１】
換言すると、第３実施形態の表示装置１０ｂは、連続する３行ごと、及び、連続する３列ごとを重複なしで表示する。そのため、第２実施形態の表示装置１０ａを用いる場合よりも、検出する位置情報の精度は低くなるが、短時間で全てのキャビネットディスプレイ１１−１〜１１−４における行と列のキャリブレーション表示を行うことができる。第３実施形態の表示装置１０ｂを用いて、調整対象の画素１１１が存在する範囲を大まかに特定した後、特定した範囲に限定して第２実施形態の表示装置１０ａにキャリブレーション表示させることで、調整対象の画素１１１の正確な位置を検出することができる。これにより、例えば、キャビネットディスプレイ１１−１〜１１−４が非常に大きいサイズの場合、第２実施形態の表示装置１０ａの構成のみを用いるよりも、第３実施形態の表示装置１０ｂと第２実施形態の表示装置１０ａとを併用する構成の方が短時間で正確な画素１１１の位置を検出することが可能となる。
【０１２２】
なお、上記の第３実施形態では、連続する３行の行ライン、及び連続する３列の列ラインを表示するようにしているが、本発明の構成は、当該実施の形態に限られない。行や列の個数は、「３」に限られず、複数であればどのような個数であってもよく、例えば、キャビネットディスプレイ１１−１〜１１−４が備える画素１１１の数に応じて適切な個数が定められることになる。
【０１２３】
また、上記の第３実施形態では、行ライン選択部１２２ｂは、連続する３行ごとに重複なしで選択する。そのため、キャビネットディスプレイ１１−１〜１１−４における行数が３の倍数でない場合、行ライン選択部１２２ｂが、最後に選択する際に、３個の行を選択できないことになる。そのような場合、残りの１行、または２行を選択し、行ライン位置情報生成部１３２は、例えば、１個の行が選択された場合、当該１個の行の行番号を位置情報とし、２個の行が選択された場合、２番目の行の行番号を位置情報とする。
【０１２４】
列数が３の倍数でない場合も、同様に、列ライン選択部１２３ｂは、最後に選択する際に、残りの１列、または２列を選択し、列ライン位置情報生成部１３３は、例えば、１個の列が選択された場合、当該１個の列の列番号を位置情報とし、２個の列が選択された場合、２番目の列の行番号を位置情報とする。
【０１２５】
（第４実施形態）
図２０は、第４実施形態による表示装置１０ｃの構成を示すブロック図である。第２実施形態の表示装置１０ａは、行ラインについては、１行ずつ、列ラインについては、１列ずつキャリブレーション表示を行っていた。これに対して、第４実施形態の表示装置１０ｃは、行と列のキャリブレーション表示において、一定の間隔を空けて同時に複数のラインを表示する。
【０１２６】
図２０において、第２実施形態の表示装置１０ａと同一の構成については同一の符号を付し、以下、異なる構成について説明する。表示装置１０ｃは、表示部１１ａ、画素選択部１２ｃ、位置情報生成部１３ａ、発光処理部１４ｃ、及びキャリブレーション表示開始指示部１５を備える。
【０１２７】
画素選択部１２ｃは、記憶部１２０、キャビネット選択部１２１、行ライン選択部１２２ｃ、及び列ライン選択部１２３ｃを備える。画素選択部１２ｃにおいて行ライン選択部１２２ｃは、記憶部１２０を参照し、キャビネット選択部１２１が出力したキャビネット番号に関連付けられている行数の範囲内で、キャリブレーション表示の対象となる行として、一定の間隔、例えば、２０行の間隔を空けて、複数行選択する。また、行ライン選択部１２２ｃは、選択した複数行の各々の行番号を発光処理部１４ｂに出力する。
【０１２８】
また、行ライン選択部１２２ｃは、選択した複数行の行番号のうち、行番号の値が最も小さい行番号を位置情報生成部１３ａに出力する。例えば、２０行の間隔をあけて複数行を選択する場合、最初に選択する行番号の組み合わせは、「１」，「２１」，「４１」，…となる。この場合、各々の行番号の相対的な位置、すなわち各々の一定の間隔内における位置は、先頭行であるため、全て「１」行目となる。次に選択する行番号の組み合わせは、「２」，「２２」，「４２」，…となり、この場合の各々の行番号の相対的な位置は、全て「２」行目となる。したがって、行ライン選択部１２２ｃが、選択した複数行の行番号のうち、行番号の値が最も小さい行番号を選択することで、選択した行番号が、選択した全ての行の一定の間隔内における相対的な行番号を示すことになる。
【０１２９】
列ライン選択部１２３ｃは、記憶部１２０を参照し、キャビネット選択部１２１が出力したキャビネット番号に関連付けられている列数の範囲内で、キャリブレーション表示の対象となる列として、一定の間隔、例えば、２０列の間隔を空けて、複数列選択する。また、列ライン選択部１２３ｃは、選択した複数列の各々の列番号を発光処理部１４ｂに出力する。また、列ライン選択部１２３ｃは、選択した複数列の列番号のうち、列番号の値が最も小さい列番号を位置情報生成部１３ａに出力する。
【０１３０】
表示信号生成部１４２ｃは、表示信号生成部１４２と同様に、キャビネット選択部１２１が出力するキャビネット番号を取り込んだ場合、取り込んだキャビネット番号の情報をキャビネット番号記憶部１４３に書き込んで記憶させる。また、表示信号生成部１４２ｃは、表示信号生成部１４２と同様に、取り込んだキャビネット番号に対応するキャビネットディスプレイ１１−１〜１１−４の全画面を白色表示する表示信号を生成する。また、表示信号生成部１４２ｃは、当該全画面を表示する表示信号に対して、キャビネット番号に基づいて位置情報パケット生成部１３４が生成した位置情報を含む駆動波形を重畳し、駆動波形を重畳した表示信号を駆動部１４１に出力する。
【０１３１】
また、表示信号生成部１４２ｃは、行ライン選択部１２２ｃが出力する複数の行番号を取り込んだ場合、キャビネット番号記憶部１４３に記憶されているキャビネット番号に対応するキャビネットディスプレイ１１−１〜１１−４の当該複数の行番号に対応する複数の行ラインを白色表示する表示信号を生成する。また、表示信号生成部１４２ｃは、当該複数の行ラインを表示する表示信号に対して、当該複数の行ラインの相対的な行番号に基づいて位置情報パケット生成部１３４が生成した位置情報を含む駆動波形を表示信号に重畳し、駆動波形を重畳した表示信号を駆動部１４１に出力する。
【０１３２】
また、表示信号生成部１４２ｃは、列ライン選択部１２３ｃが出力する複数の列番号を取り込んだ場合、キャビネット番号記憶部１４３に記憶されているキャビネット番号に対応するキャビネットディスプレイ１１−１〜１１−４の当該複数の列番号に対応する複数の列ラインを白色表示する表示信号を生成する。また、表示信号生成部１４２ｃは、当該複数の列ラインを表示する表示信号に対して、当該複数の列ラインの相対的な列番号に基づいて位置情報パケット生成部１３４が生成した位置情報を含む駆動波形を表示信号に重畳し、駆動波形を重畳した表示信号を駆動部１４１に出力する。
【０１３３】
（第４実施形態の表示装置による処理）
図２１は、第４実施形態の表示装置１０ｃによる処理の流れを示すフローチャートである。図２１において、ステップＳｃ１からステップＳｃ４、及びステップＳｃ１０のそれぞれの処理については、図１１に示した第２実施形態の表示装置１０ａによるステップＳａ１からステップＳａ４、及びステップＳａ１０の処理と同一の処理が行われる。以下、一定の間隔が、行と列の各々について、２０行、及び２０列に予め定められているとして、ステップＳｃ４の後に行われる処理について説明する。
【０１３４】
行ライン選択部１２２ｃは、記憶部１２０を参照し、キャビネット選択部１２１が出力するキャビネット番号に関連付けられている行数の範囲内で、２０行の間隔の空いた複数行を、最初の行から順に選択することを繰り返す。上述したように、例えば、行ライン選択部１２２ｃは、最初に「１」，「２１」，「４１」，…の行番号の行を選択すると、次の選択では、「２」，「２２」，「４２」，…の行番号の行を選択する。
【０１３５】
行ライン選択部１２２ｃは、選択した複数行の各々の行番号を発光処理部１４ｃに出力する。また、行ライン選択部１２２ｃは、選択した複数行の行番号のうち、行番号の値が最も小さい行番号を位置情報生成部１３ａに出力する。
【０１３６】
位置情報生成部１３ａの行ライン位置情報生成部１３２は、行ライン選択部１２２ｃが出力する行番号を取り込み、取り込んだ行番号を１０進数から１６進数に変換する。行ライン位置情報生成部１３２は、記憶部１３５のテーブルから「行ライン」の種別に対応するヘッダ値「０ｘＦ１」を読み出し、読み出したヘッダ値と、１６進数に変換した行番号とを位置情報パケット生成部１３４に出力する。
【０１３７】
位置情報パケット生成部１３４は、行ライン位置情報生成部１３２が出力するヘッダ情報とデータ情報とに基づいて、図６に示すデータ形式のパケットを生成する。位置情報パケット生成部１３４は、生成したパケットを発光処理部１４ｃに出力する（ステップＳｃ５）。
【０１３８】
発光処理部１４ｃの表示信号生成部１４２ｃは、行ライン選択部１２２ｃが出力する複数の行番号を取り込むと、キャビネット番号記憶部１４３が記憶しているキャビネット番号を読み出す。表示信号生成部１４２ｃは、読み出したキャビネット番号に対応するキャビネットディスプレイ１１−１〜１１−４において、取り込んだ複数の行番号に対応する複数の行ラインを白色表示する表示信号を生成する。
【０１３９】
表示信号生成部１４２ｃは、位置情報パケット生成部１３４が出力するパケットを取り込み、取り込んだパケットに基づいて行番号の位置情報を含む駆動波形を生成する。表示信号生成部１４２ｃは、生成した表示信号に対して、生成した駆動波形を重畳し、駆動波形を重畳した表示信号を駆動部１４１に出力する（ステップＳｃ６）。
【０１４０】
行ライン選択部１２２ｃ、行ライン位置情報生成部１３２、位置情報パケット生成部１３４、及び表示信号生成部１４２ｃは、２０行の間隔に含まれる行数に対応する回数、すなわち２０回、ステップＳｃ５及びステップＳｃ６の処理を繰り返し行う（ループＬｂ１ｓ〜Ｌｂ１ｅ）。
【０１４１】
列ライン選択部１２３ｃは、記憶部１２０を参照し、キャビネット選択部１２１が出力するキャビネット番号に関連付けられている列数の範囲内で、２０列の間隔の空いた複数列を、最初の列から順に選択することを繰り返す。上述したように、例えば、列ライン選択部１２３ｃは、最初に「１」，「２１」，「４１」，…の列番号の列を選択すると、次の選択では、「２」，「２２」，「４２」，…の列番号の列を選択する。
【０１４２】
列ライン選択部１２３ｃは、選択した複数列の各々の列番号を発光処理部１４ｃに出力する。また、列ライン選択部１２３ｃは、選択した複数列の列番号のうち、列番号の値が最も小さい列番号を位置情報生成部１３ａに出力する。
【０１４３】
位置情報生成部１３ａの列ライン位置情報生成部１３３は、列ライン選択部１２３ｃが出力する列番号を取り込み、取り込んだ列番号を１０進数から１６進数に変換する。列ライン位置情報生成部１３３は、記憶部１３５のテーブルから「列ライン」の種別に対応するヘッダ値「０ｘＦ２」を読み出し、読み出したヘッダ値と、１６進数に変換した列番号とを位置情報パケット生成部１３４に出力する。
【０１４４】
位置情報パケット生成部１３４は、列ライン位置情報生成部１３３が出力するヘッダ情報とデータ情報とに基づいて、図６に示すデータ形式のパケットを生成する。位置情報パケット生成部１３４は、生成したパケットを発光処理部１４ｃに出力する（ステップＳｃ７）。
【０１４５】
発光処理部１４ｃの表示信号生成部１４２ｃは、列ライン選択部１２３ｂが出力する複数の列番号を取り込むと、キャビネット番号記憶部１４３が記憶しているキャビネット番号を読み出す。表示信号生成部１４２ｃは、読み出したキャビネット番号に対応するキャビネットディスプレイ１１−１〜１１−４において、取り込んだ複数の列番号に対応する複数の列ラインを白色表示する表示信号を生成する。
【０１４６】
表示信号生成部１４２ｃは、位置情報パケット生成部１３４が出力するパケットを取り込み、取り込んだパケットに基づいて列番号の位置情報を含む駆動波形を生成する。表示信号生成部１４２ｃは、生成した表示信号に対して、生成した駆動波形を重畳し、駆動波形を重畳した表示信号を駆動部１４１に出力する（ステップＳｃ８）。
【０１４７】
列ライン選択部１２３ｃ、列ライン位置情報生成部１３３、位置情報パケット生成部１３４、及び表示信号生成部１４２ｃは、２０列の間隔に含まれる列数に対応する回数、すなわち２０回、ステップＳｃ７及びステップＳｃ８の処理を繰り返し行う（ループＬｂ２ｓ〜Ｌｂ２ｅ）。
【０１４８】
駆動部１４１は、表示信号生成部１４２ｃが出力する駆動波形が重畳された表示信号を取り込み、取り込んだ表示信号を表示部１１ａに出力する。表示部１１ａは、表示信号を取り込み、ステップＳｃ２においてキャビネット選択部１２１が選択するキャビネットディスプレイ１１−１〜１１−４の各々において、全画面を白色に明滅させた後、複数行、複数列の順で白色に明滅させる（ステップＳｃ９）。
【０１４９】
例えば、図２２に示すように、表示部１１ａは、最初のキャビネットディスプレイ１１−１において、行について、最初に絶対位置が１行目の行ライン１１１−Ｘｃ１、絶対位置が２１行目の行ライン１１１−Ｘｃ２、絶対位置が４１行目の行ライン１１１−Ｘｃ３の３個の行ラインを同時に表示する。３個の行ライン１１１−Ｘｃ１〜１１１−Ｘｃ３の相対位置は、いずれも「１」行目である。なお、図２２は、紙面の色、すなわち無色の領域が、ＯＦＦ状態を示しており、図２２は、行ライン１１１−Ｘｃ１〜１１１−Ｘｃ３が表示されている状態を示している。
【０１５０】
行ライン１１１−Ｘｃ１は、行ライン１１１−Ｘｃ２が表示される間隔の手前まで、行ライン１１１−Ｘｃ２は、行ライン１１１−Ｘｃ３が表示される間隔の手前まで、行ライン１１１−Ｘｃ３は、最後の行まで、１行ずつ繰り返し表示される。換言すると、行ライン１１１−Ｘｃ１の場合、符号５００−１で示される１行目〜２０行目の間で、先頭行から順に１行ずつ表示される。同様に、行ライン１１１−Ｘｃ２の場合、符号５００−２で示される２１行目〜４０行目の間で、先頭行から順に１行ずつ表示され、行ライン１１１−Ｘｃ３の場合、符号５００−３で示される４１行目〜６０行目の間で、先頭行から順に１行ずつ表示される。
【０１５１】
第４実施形態における表示調整システムは、表示装置１０ｃと、第２実施形態の位置検出装置２０ａとを備える。そのため、作業者は、第２実施形態の位置検出装置２０ａを用いて位置の検出を行う。画素１１１の位置を検出する際、第２実施形態と同様に、作業者が画素１１１を開口部２０２で覆うように位置検出装置２０ａを近づけて位置の検出を行う。例えば、第２実施形態と同様に画素１１１−４０−５０を対象とする場合、検出のタイミングは、行ラインについては、２０行目、４０行目、６０行目が同時に表示される際となり、列ラインについては、１０列目、３０列目、５０列目が同時に表示される際となる。
【０１５２】
２０行目、４０行目、６０行目が同時に表示される際に重畳される位置情報は、２０行目の位置情報となり、１０列目、３０列目、５０列目が同時に表示される際に重畳される位置情報は、１０列目の位置情報となる。
【０１５３】
そのため、作業者が画素１１１−４０−５０を開口部２０２で覆うように位置検出装置２０ａを近づけている場合、位置検出装置２０ａの出力部２３ａは、最初に「キャビネット：１」の内容を画面に表示し、次に「行：２０」の内容を表示し、その後に、「列：１０」の内容を表示する。
【０１５４】
作業者は、表示装置１０ｃに位置検出装置２０ａを近づける際に、目視によって、行については、２個目の間隔と、３個目の間隔の中央付近であることを予め推測することができる。また、列については、３個目の間隔の中央付近であることを予め推測することができる。
【０１５５】
更に、作業者は、行について２個目の間隔と、３個目の間隔の中央付近であるという情報があるため、以下のような推測を行うことができる。すなわち、行番号として、１５〜２０といった大きい値が、位置検出装置２０ａの出力部２３ａに表示される場合、開口部２０２の位置が、２個目の間隔、すなわち２１行目から４０行目の範囲の後半に存在していると判断することができる。また、行番号として、１〜５といった小さい値が、位置検出装置２０ａの出力部２３ａに表示される場合、開口部２０２の位置が、３個目の間隔、すなわち４１行目から６０行目の範囲の前半に存在していると判断することができる。
【０１５６】
したがって、第４実施形態の表示装置１０ｃの構成により作業者は、画素１１１−４０−５０が、キャビネット番号が「１」のキャビネットディスプレイ１１−１に存在する画素であって、行については、２個目の間隔の２０行目、すなわち４０行目に位置しており、列については、３個目の間隔の１０列目、すなわち５０行目に位置していることを検出することができる。
【０１５７】
第４実施形態の表示装置１０ｃでは、行と列について、一定の間隔を空けて複数行を同時に表示するため、第２実施形態の表示装置１０ａよりも短時間で全てのキャビネットディスプレイ１１−１〜１１−４における行と列のキャリブレーション表示を行うことができる。これにより、例えば、キャビネットディスプレイ１１−１〜１１−４が非常に大きいサイズの場合、第２実施形態の表示装置１０ａの構成を用いるよりも、第４実施形態の表示装置１０ｃを用いる方が短時間で正確な画素１１１の位置を検出することが可能となる。
【０１５８】
また、上記の第４実施形態において、第３実施形態の構成を適用して、連続する複数行を一定の間隔を空けて複数表示し、連続する複数列を一定の間隔を空けて複数表示するようにしてもよい。このようにすることで、更に短時間で、全てのキャビネットディスプレイ１１−１〜１１−４における行と列のキャリブレーション表示を行うことができる。このようにして、調整対象の画素１１１が存在する大まかな範囲を検出し、検出した範囲に基づいて、第２実施形態の表示装置１０ｂにおいて、範囲を限定してキャリブレーション表示することで、より短い時間で調整対象の画素１１１の位置を検出することができる。
【０１５９】
なお、上記の第４実施形態では、一定の間隔として、２０行及び２０列が予め定められるとしているが、一定の間隔の長さは、どのような長さであってもよく、キャビネットディスプレイ１１−１〜１１−４の各々が備える画素１１１の数に応じて適切な間隔が定められることになる。
【０１６０】
また、上記の第４実施形態では、行ライン選択部１２２ｃは、例えば、２０行の間隔を空けて複数の行を選択する。そのため、キャビネットディスプレイ１１−１〜１１−４における行数が２０の倍数でない場合、行ライン選択部１２２ｃが、最後に選択する際に、最後の間隔において行を選択できないことになる。そのような場合、最後の間隔については、行ライン選択部１２２ｃがキャリブレーション表示する行を選択できないため、行方向の最後の間隔についてキャリブレーション表示は行われないことになる。列についても同様に、列ライン選択部１２３ｃが、２０列の間隔を空けて複数の列を選択する場合に、キャビネットディスプレイ１１−１〜１１−４における列数が２０の倍数でない場合、列方向の最後の間隔についてキャリブレーション表示は行われないことになる。
【０１６１】
（第５実施形態）
図２３は、第５実施形態による表示装置１０ｄの構成を示すブロック図である。第２実施形態の表示装置１０ａは、行ラインについては、１行ずつ、列ラインについては、１列ずつキャリブレーション表示を行っていた。また、第３実施形態の表示装置１０ｂは、行ラインについて、連続する３行を重複せずに選択することを繰り返し、列ラインについて、連続する３列を重複せずに選択することを繰り返してキャリブレーション表示を行っていた。これに対して、第５実施形態の表示装置１０ｄは、行ラインについて、連続する３行を２行ずつ重複させて選択することを繰り返し、列ラインについて、連続する３列を２列ずつ重複させて選択することを繰り返してキャリブレーション表示を行う。
【０１６２】
図２５において、第２実施形態の表示装置１０ａ及び第３実施形態の表示装置１０ｂと同一の構成については同一の符号を付し、以下、異なる構成について説明する。表示装置１０ｄは、表示部１１ａ、画素選択部１２ｄ、位置情報生成部１３ａ、発光処理部１４ｂ、及びキャリブレーション表示開始指示部１５を備える。
【０１６３】
画素選択部１２ｄは、記憶部１２０、キャビネット選択部１２１、行ライン選択部１２２ｄ、及び列ライン選択部１２３ｄを備える。画素選択部１２ｄにおいて行ライン選択部１２２ｄは、記憶部１２０を参照し、キャビネット選択部１２１が出力したキャビネット番号に関連付けられている行数の範囲内で、キャリブレーション表示の対象となる行を最初の行から順に連続する３行を２行ずつ重複させて選択する。また、行ライン選択部１２２ｄは、選択した３行の各々の行番号を発光処理部１４ｂに出力し、選択した３個の行の中央の行の行番号を位置情報生成部１３ａに出力する。
【０１６４】
列ライン選択部１２３ｄは、記憶部１２０を参照し、キャビネット選択部１２１が出力したキャビネット番号に関連付けられている列数の範囲内で、キャリブレーション表示の対象となる列を最初の列から順に連続する３列を２列ずつ重複させて選択する。また、列ライン選択部１２３ｄは、選択した３列の各々の列番号を発光処理部１４ｂに出力し、選択した３個の列の中央の列の列番号を位置情報生成部１３ａに出力する。
【０１６５】
図２４は、第５実施形態による位置検出装置２０ｄの外観と開口部２０２ｄの大きさを示す図である。位置検出装置２０ｄは、内部の機能構成としては、図８に示した第２実施形態の位置検出装置２０ａと同一の内部構成を備えており、図２４に示すように、第２実施形態の位置検出装置２０ａの開口部２０２よりも、開口面積が大きい開口部２０２ｄを有する先端部２０１ｄを備えている。
【０１６６】
開口部２０２ｄは、直径の長さが画素１１１の大きさの約３倍の長さであり、図２４（ｂ）に示すように、縦方向と横方向において３個の画素１１１を覆うことができる開口面積を有している。
【０１６７】
（第５実施形態の表示装置による処理）
図２５は、第５実施形態の表示装置１０ｄによる処理の流れを示すフローチャートである。図２５において、ステップＳｄ１からステップＳｄ４、及びステップＳｄ１０については、図１１に示した第２実施形態の表示装置１０ａによるステップＳａ１からステップＳａ４、及びステップＳａ１０の処理と同一の処理が行われる。以下、ステップＳｄ４の後に行われる処理について説明する。
【０１６８】
行ライン選択部１２２ｄは、記憶部１２０を参照し、キャビネット選択部１２１が出力するキャビネット番号に関連付けられている行数の範囲内で、最初の行から順に連続する３行を２行ずつ重複させて選択する。換言すると、連続する３画素分の行ラインを、最初の行から順に１行ずつずらして選択する。具体的には、行ライン選択部１２２ｄは、最初に１行目から３行目までを選択すると、次の選択では、２行目から４行目までを選択するというように選択を行っていく。
【０１６９】
行ライン選択部１２２ｄは、選択した３個の行の各々の行番号を発光処理部１４ｂに出力し、選択した３個の行の中央の行の行番号を位置情報生成部１３ａに出力する。その後、位置情報生成部１３ａの行ライン位置情報生成部１３２、及び位置情報パケット生成部１３４が行うステップＳｄ５の処理、及び発光処理部１４ｂの表示信号生成部１４２ｂが行うステップＳｄ６の処理は、第３実施形態のステップＳｂ５及びステップＳｂ６の処理と同一の処理が行われる。
【０１７０】
行ライン選択部１２２ｄ、行ライン位置情報生成部１３２、位置情報パケット生成部１３４、及び表示信号生成部１４２ｂは、最後の行までステップＳｄ５及びステップＳｄ６の処理を繰り返し行う（ループＬｄ１ｓ〜Ｌｄ１ｅ）。
【０１７１】
列ライン選択部１２３ｄは、記憶部１２０を参照し、キャビネット選択部１２１が出力するキャビネット番号に関連付けられている列数の範囲内で、最初の列から順に連続する３列を２列ずつ重複させて選択する。換言すると、連続する３画素分の列ラインを、最初の列から順に１列ずつずらして選択する。具体的には、列ライン選択部１２３ｄは、最初に１列目から３列目までを選択すると、次の選択では、２列目から４列目までを選択するというように選択を行っていく。
【０１７２】
列ライン選択部１２３ｄは、選択した３個の列の各々の列番号を発光処理部１４ｂに出力し、選択した３個の列の中央の列の列番号を位置情報生成部１３ａに出力する。その後、位置情報生成部１３ａの列ライン位置情報生成部１３３、及び位置情報パケット生成部１３４が行うステップＳｄ７の処理、及び発光処理部１４ｂの表示信号生成部１４２ｂが行うステップＳｄ８の処理は、第３実施形態のステップＳｂ７及びステップＳｂ８の処理と同一の処理が行われる。
【０１７３】
列ライン選択部１２３ｄ、列ライン位置情報生成部１３３、位置情報パケット生成部１３４、及び表示信号生成部１４２ｂは、最後の列までステップＳｄ７及びステップＳｄ８の処理を繰り返し行う（ループＬｄ２ｓ〜Ｌｄ２ｅ）。
【０１７４】
駆動部１４１は、表示信号生成部１４２ｂが出力する駆動波形が重畳された表示信号を取り込み、取り込んだ表示信号を表示部１１ａに出力する。表示部１１ａは、表示信号を取り込み、ステップＳｄ２においてキャビネット選択部１２１が選択するキャビネットディスプレイ１１−１〜１１−４の各々において、全画面を白色に明滅させた後、複数行、複数列の順で白色に明滅させる（ステップＳｄ９）。
【０１７５】
例えば、表示部１１ａは、最初のキャビネットディスプレイ１１−１において、行について、１行目から３行目までの行ラインを表示した後、２行目から４行目までの行ラインを表示し、更に、３行目から５行目までの行ラインを表示するというような表示を行う。
【０１７６】
第５実施形態における表示調整システムは、表示装置１０ｄと、位置検出装置２０ｄとを備える。そのため、第５実施形態の表示装置１０ｄに対して、作業者は、第５実施形態の位置検出装置２０ｄを用いることで、発光していない画素１１１の位置の検出を行うことができる。例えば、図２６に示すように、作業者が目視により、発光していない画素１１１−５７−２０を見つけると、図２４（ｂ）に示すように開口部２０２ｄで画素１１１−５７−２０を中心とする領域を覆うように位置検出装置２０ｄを近づける。
【０１７７】
表示装置１０ｄによるキャリブレーション表示が始まると、最初に、位置検出装置２０ｄの出力部２３ｄは、「キャビネット：１」の内容を画面に表示する。図２６（ａ）に示すようにキャビネットディスプレイ１１−１において、５５行目から５７行目に対応する行ライン１１１−Ｘｄ１が表示されると、行ライン１１１−Ｘｄ１には中央の行番号「５６」が重畳されているため、出力部２３ｄは、「行：５６」の内容を画面に表示する。
【０１７８】
次に、図２６（ｂ）に示すように５６行目から５８行目に対応する行ライン１１１−Ｘｄ２が表示されると、行ライン１１１−Ｘｄ２には中央の行番号「５７」が重畳されているため、出力部２３ｄは、「行：５７」の内容を画面に表示する。
【０１７９】
次に、図２６（ｃ）に示すように５７行目から５９行目に対応する行ライン１１１−Ｘｄ３が表示されると、行ライン１１１−Ｘｄ３には中央の行番号「５８」が重畳されているため、出力部２３ｄは、「行：５８」の内容を画面に表示する。
【０１８０】
検出した３個の行番号「５６」，「５７」，「５８」のうち中央の行番号は、「５７」であるため、作業者は、点灯していない画素１１１−５７−２０の行番号を「５７」として検出することができる。列方向も、同様の処理により、列番号「２０」を検出することができる。
【０１８１】
なお、上記の第１から第５実施形態において、位置検出装置２０，２０ａ，２０ｄによって画素の位置を検出した後、当該画素の輝度を肉眼で目視することによって、作業者が輝度のバランスの調整を行うものとしているが、本発明の構成は、当該実施の形態に限られない。例えば、図２７は、位置検出装置２０ａの構成に対して、色彩輝度を測定する色彩輝度検出部２４を加えて位置検出装置２０ｅの構成を示すブロック図である。このような色彩輝度検出部２４を用いることで、位置検出に加えて、位置検出した画素の輝度値を検出することが可能となる。そのため、検出した輝度値に基づいて、または、検出した輝度値及び肉眼での目視の双方に基づいて、表示装置１０，１０ａ，１０ｂ，１０ｃ，１０ｄにおける対象画素の輝度のバランスを調整するようにしてもよい。
【０１８２】
また、上記の第２から第５実施形態では、キャリブレーション表示する際に、白色で表示するようにしているが、本発明の構成は、当該実施の形態に限られない。画素に備えられるＬＥＤ素子の輝度と、位置検出装置２０，２０ｄ，２０ｅの受光部２１のセンサ感度が合わない場合、輝度レベルを変えて、灰色等でキャリブレーション表示するようにしてもよい。また、位置検出装置２０，２０ｄ，２０ｅの受光部２１に光学的な減光フィルタを装着させたり、電気激な自動ゲイン調整回路を付加したりしてＬＥＤ素子の輝度と、受光部２１のセンサ感度を合わせるようにしてもよい。
【０１８３】
上記の第２から第５実施形態において、画素１１１は、ＬＥＤ素子を備えるとしているが、ＬＥＤ素子以外の発光素子を適用するようにしてもよい。
【０１８４】
また、上記の第２から第５実施形態において、表示部１１ａが備えるキャビネットの数は、複数個であればどのような個数であってもよいとしているが、キャビネットの数は、１個であってもよい。その場合、第２から第５実施形態において、表示装置１０ａ，１０ｂ，１０ｃ，１０ｄは、キャビネットディスプレイ１１−１〜１１−４に対して行っていたキャリブレーション表示を行う構成を備える必要がなくなる。また、位置検出装置２０ａ，２０ｄ，２０ｅにおいても、キャビネットの種別について復号する構成を備える必要がなくなる。
【０１８５】
また、上記の第２から第５実施形態において、表示装置１０ａ，１０ｂ，１０ｃ，１０ｄは、画素１１１を行列状に配置する構成を備えているが、行列以外の形状での配置であってもよい。また、表示装置１０ａ，１０ｂ，１０ｃ，１０ｄは、最初の行、及び最初の列から表示を開始するようにしているが、ランダムな順番で表示するようにしてもよい。また、行が表示された後、列が表示される等、行と列の表示の順番もランダムであってもよい。
【０１８６】
また、上記の第２実施形態の表示装置１０ａにおいて、表示部１１ａ以外の機能部である、画素選択部１２ａ、位置情報生成部１３ａ、発光処理部１４ａ、及びキャリブレーション表示開始指示部１５は、例えば、図３及び図４において、図示しない表示装置１０ａのコントローラ部に備えられる。当該コントローラ部は、作業者の操作を受けて表示部１１ａの画素１１１の輝度のバランス調整を行う機能を有しており、このようなコントローラ部に備えられることが表示装置１０ａの構成の上で効率がよい構成となる。このことは、第３から第５実施形態においても同様であり、表示装置１０ｂ，１０ｃ，１０ｄの表示部１１ａ以外の機能部は、同様に当該コントローラ部に備えられることが構成の上で効率がよい構成となる。
【０１８７】
上述した実施形態における表示装置１０，１０ａ，１０ｂ，１０ｃ，１０ｄ、及び位置検出装置２０，２０ａ，２０ｄ，２０ｅをコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【０１８８】
以上、この発明の実施形態について図面を参照して詳述してきたが、具体的な構成はこの実施形態に限られるものではなく、この発明の要旨を逸脱しない範囲の設計等も含まれる。
【符号の説明】
【０１８９】
１０  表示装置
１１  表示部
１２  画素選択部
１３  位置情報生成部
１４  発光処理部
２０  位置検出装置
２１  受光部
２２  位置情報検出部
２３  出力部
【図１】
2019149730.tif 000003
【図２】
2019149730.tif 000004
【図３】
2019149730.tif 000005
【図４】
2019149730.tif 000006
【図５】
2019149730.tif 000007
【図６】
2019149730.tif 000008
【図７】
2019149730.tif 000009
【図８】
2019149730.tif 000010
【図９】
2019149730.tif 000011
【図１０】
2019149730.tif 000012
【図１１】
2019149730.tif 000013
【図１２】
2019149730.tif 000014
【図１３】
2019149730.tif 000015
【図１４】
2019149730.tif 000016
【図１５】
2019149730.tif 000017
【図１６】
2019149730.tif 000018
【図１７】
2019149730.tif 000019
【図１８】
2019149730.tif 000020
【図１９】
2019149730.tif 000021
【図２０】
2019149730.tif 000022
【図２１】
2019149730.tif 000023
【図２２】
2019149730.tif 000024
【図２３】
2019149730.tif 000025
【図２４】
2019149730.tif 000026
【図２５】
2019149730.tif 000027
【図２６】
2019149730.tif 000028
【図２７】
2019149730.tif 000029